(57)【要約】  塗布表面(2)を備える、生成物、特に化粧品をケラチン物質に塗布するための個人向けアプリケータ(1)を製造するための方法であって、  a)個人のケラチン物質の外観を修正する組成物を個人の前記ケラチン物質の表面に塗布するステップと、  b)このように覆われた表面の形状と組成物の位置に関する情報を提供する少なくとも1つの画像との光学的取得を実行するステップと、  c)この取得によって、アプリケータ(1)またはアプリケータの製造を目的とした型を作製するステップとを含む方法。
2021500116.tif 000002
【特許請求の範囲】
【請求項１】
塗布表面(2)を備える、生成物、特に化粧品をケラチン物質に塗布するための個人向けアプリケータ(1)を製造するための方法であって、
a)個人の前記ケラチン物質の外観を修正する組成物を前記個人の前記ケラチン物質の表面に塗布するステップと、
b)このように覆われた前記表面の形状と前記組成物の位置に関する情報を提供する少なくとも1つの画像との光学的取得を実行するステップと、
c)この取得によって、前記個人向けアプリケータ(1)または前記個人向けアプリケータの製造を目的とした型を作製するステップと、
を含む方法。
【請求項２】
前記組成物が塗布される前記表面は、唇の少なくとも一部にわたって広がる、請求項1に記載の方法。
【請求項３】
前記組成物が塗布される前記表面は、前記唇の周りの皮膚の少なくとも一部にわたって広がる、請求項2に記載の方法。
【請求項４】
前記組成物は、唇の輪郭を画定し直すように塗布される、請求項1から3のいずれか一項に記載の方法。
【請求項５】
前記組成物は、皮膚上に少なくとも1つの点においてあふれ出る、請求項4に記載の方法。
【請求項６】
前記組成物は、前記唇の自然な輪郭から奥まった少なくとも1つの場所に塗布される、請求項4に記載の方法。
【請求項７】
前記組成物は、キューピッドの弓形を画定し直すように塗布される、請求項1から6のいずれか一項に記載の方法。
【請求項８】
前記組成物は、唇の高さおよび/もしくは前記唇の幅を修正し、ならびに/または対称性を補正するように塗布される、請求項1から7のいずれか一項に記載の方法。
【請求項９】
前記個人向けアプリケータ(1)の前記塗布表面(2)の輪郭は、唇の自然な輪郭から逸脱する、請求項1から8のいずれか一項に記載の方法。
【請求項１０】
前記組成物はリップスティックである、請求項1から9のいずれか一項に記載の方法。
【請求項１１】
前記組成物は白いリップスティックである、請求項1から10のいずれか一項に記載の方法。
【請求項１２】
前記組成物は一様な被膜として塗布される、請求項1から11のいずれか一項に記載の方法。
【請求項１３】
前記組成物は、ゾーンを画定する線、特に唇の輪郭に沿って塗布される、請求項1から11のいずれか一項に記載の方法。
【請求項１４】
前記ケラチン物質は、前記個人によって検証された結果に応じて化粧を施され、前記化粧は次いで、場合によっては除去され、前記組成物は次いで、検証されたばかりの輪郭と同じ輪郭に塗布され、それによって前記取得を行うことができる、請求項1から13のいずれか一項に記載の方法。
【請求項１５】
前記組成物を塗布した後に得られる化粧の結果は、前記表面の前記形状の前記光学的取得を進める前に前記個人によって検証される、請求項1から14のいずれか一項に記載の方法。
【請求項１６】
前記形状は、組成物で覆われた前記表面の3Dスキャンにより、特に前記表面上に構造化光を投影することによって得られる、請求項1から15のいずれか一項に記載の方法。
【請求項１７】
CNCマシンまたは3Dプリンタによって読み取ることのできるファイルを生成するステップを含む、請求項1から16のいずれか一項に記載の方法。
【請求項１８】
特に画像処理ソフトウェアを使用して、前記表面の前記形状の前記光学的取得によって導出されるデータから、再加工された3D表面を生成することを含むステップを含む、請求項16に記載の方法。
【請求項１９】
画像処理を使用することによって組成物で覆われた領域の輪郭を自動的に形成するステップを含む、請求項1から18のいずれか一項に記載の方法。
【請求項２０】
組成物で覆われた領域の前記画像内の点を手動で特定し、これらの点から、前記個人向けアプリケータ(1)または前記型を作製するのに使用される輪郭を自動的に決定するステップを含む、請求項1から17のいずれか一項に記載の方法。
【請求項２１】
塗布の少なくとも1つのモデルを画面上に表示し、場合によってはモデルを選択するステップであって、前記組成物が、このモデルに従って塗布される、ステップを含む、請求項1から20のいずれか一項に記載の方法。
【請求項２２】
前記個人の人相に応じて提案すべきモデルを提供する第三者とのリモート接続を確立するステップを含む、請求項21に記載の方法。
【請求項２３】
前記個人を前記組成物の前記塗布へと導く第三者とのリモート接続を確立するステップを含む、請求項21に記載の方法。
【請求項２４】
請求項1から23のいずれか一項に記載の方法を実施することによって得られるアプリケータ(1)を使用して化粧を施す方法であって、
前記アプリケータ(1)を前記個人の前記ケラチン物質と接触させるステップと、
前記ケラチン物質上に化粧品を移送するステップと、
を含む方法。
【請求項２５】
前記方法は、唇に化粧を施すために実施され、
前記ケラチン物質は、前記唇の少なくとも一部を含み、適切であるならば皮膚の隣接する領域の少なくとも一部を含む、請求項24に記載の化粧を施す方法。
【発明の詳細な説明】
【技術分野】
【０００１】
本発明は、化粧組成物をケラチン物質、特に唇に塗布するための個人向けアプリケータを製造するための方法に関する。本発明はまた、このように製造された個人向けアプリケータと、それを使用する美容処理方法、特に化粧に関する。
【背景技術】
【０００２】
唇に化粧を施す場合、通常の方法では、紅筆またはリップスティックのスティックなどのアプリケータを使用して被覆組成物および/または着色組成物の膜を塗布し、このアプリケータが、唇の表面を覆うように唇に沿って移動させられる。ユーザは、得られた効果を見ることができるが、その結果に満足できない場合がある。特に、ユーザの唇の形がユーザに適していないと考えている場合、ユーザは結果に失望したままになる。このことは、たとえば、自分の唇が薄すぎるか、広すぎるか、非対称であるか、または顔の形に対する比率が悪いと考えている個人に生じる。
【０００３】
組成物を塗布する際に輪郭を変化させることを考えている個人もいるが、唇の自然な輪郭に従わないことは極めて難しい。この問題は、塗布が困難な個人、たとえば、視力または運動能力に問題がある個人では非常に顕著になる。この問題は、リップスティックの色が特に目立ち、特に色が濃く、ならびに/または生成物が特に耐摩耗性を有し、たとえば、「長持ちする」と考えられている調合物である場合に顕著になる。したがって、輪郭の修正を試みる際に、おそらく結果が非対称になるか、または自然な輪郭を過度に越えて延び、したがって、結果が魅力的でなくなるか、または場合によっては滑稽になるであろう。
【０００４】
いずれの場合も、個人が自分の唇の自然な輪郭に従うかどうかにかかわらず、または唇の輪郭の修正を試みるかどうかにかかわらず、魅力的な結果が実現されない印象により、個人によっては唇に化粧を施すことをあきらめてしまう場合がある。あきらめない人もいるが、上記の問題を回避しようとして化粧を施すのに非常に長い時間がかかる。多くの人は、化粧を除去し施し直すことを連続的に行う必要がある。したがって、この手順には時間がかかり、粘膜に炎症が生じ、ユーザはまれにしか化粧を施さなくなり、ならびに/またはできるだけ最も中間色を選択するようになり、したがって、唇に化粧を施すことの恩恵が低減する。眉毛または頬に化粧を施すときにも、同じ問題が生じる。
【０００５】
ユーザは一般に、唇の化粧がきれいに見えることを望むのと同時に、リップスティックのスティックを使用することを好む。残念ながら、リップスティックのスティックを使用することは失敗なしにきれいな輪郭を作るのに適しておらず、ペンシルを使用することは、特に唇の自然な輪郭に従うことを望まない場合には、常に容易であるとは限らない。
【０００６】
FR752860、米国特許第2279781号、米国特許第2207959号、FR663805、米国特許第2412073号、米国特許第3308837号、米国特許第2735435号、米国特許第1556744号、米国特許第2248533号、米国特許第2416029号、米国特許第1944691号、米国特許第1782911号、米国特許第2554965号、米国特許第2199720号、WO2008/013608、米国特許出願公開第2003/209254号、および米国特許出願公開第2010/0322693号は、塗布表面が口の所定の形状を有するアプリケータをどのように作製するかを説明している。この解決策は、化粧による標準的な見た目を作ることを可能にするが、唇の3次元形態に整合するとは限らず、したがって、被覆されない領域が残るのでいくらか不十分である。
【０００７】
1つの方法として、唇をつまんで、生成物が存在する領域と少ししか存在しない他の領域との間で生成物を広げてもよいが、この処置は輪郭を変える傾向がある。その際のリスクとして、この場合も、生成物がキューピッドの弓形にならず、不十分な外観になる。唇の隅およびキューピッドの弓形は実際、唇において、化粧を施し輪郭を形成するうえで最も難しい領域である。1つの可能性は、第三者、たとえば、「メークアップアーティスト」とも呼ばれる化粧の専門家に、たとえばタトゥーなどの持続的なマークを残す生成物を使用して輪郭を形成することを依頼することができる。しかし、実際、たいていのユーザは唇の化粧を常に施しておくことを望まないので、この処置を容易に受け入れることはできない。
【０００８】
米国特許出願公開第2012/192884号は、個人の顔を覆うように顔の上に固定されることを目的とし、個人の顔の形状に整合する形状の内面を有する、美処理マスクを製造するための方法について説明している。この方法は、個人の顔の3次元画像から得られたデータを使用する。
【０００９】
米国特許出願公開第2011/123703号は、ユーザのスキンケア薬剤の対象が絞られ個人向けにされた分配のための方法に関する。撮像デバイスによって皮膚の所定の処理ゾーンが撮像され、これから、ユーザに特有の肌プロファイルが生成される。このプロファイルに基づいて、所定の処理ゾーンに貼ることを目的とした1枚または複数のシートがプリントされる。シートの各々は、いくつかの分離された異なる領域を有する基材を備え、これらの領域のうちの少なくとも2つには、ユーザの肌プロファイルに応じて選択されるそれぞれに異なるスキンケア薬剤がプリントされる。
【００１０】
米国特許出願公開第2009/151741号は、化粧品が塗布される顔の領域上に配置された移送支持体(transfer support)を使用して、個人向け化粧ステンシルを作製する方法について説明している。移送支持体上に配置された領域のインプレッションから画像が生成され、テンプレート支持体において画像に対応する開口部を形成することによってステンシルが得られ、所望の化粧効果を再生することが可能になる。
【００１１】
米国特許出願公開第2016/000208号は、顔の完全な3Dマスクと、接着剤層と、生成物を移送するための組成物層とを備える、ファウンデーション用の化粧アプリケータについて説明している。
【００１２】
2017年の会議"The International Federation of Societies of Cosmetic Chemists"において公開されたM. Stevicらによる論文"Fabrication of personalized lipstick applicator using 3D printing technology"は、3Dスキャンを使用してユーザの唇のプロファイルを取得した後、3D印刷によって作製された型からリップスティックの個人向けブロックを得る方法について説明している。この方法の主な欠点は、唇に繰り返し塗布することによってこのアプリケータの形状が崩れ、化粧を施す際の精度に悪影響が及ぶ傾向があることである。さらに、ブロックを皮膚上に移動させることによって生じるせん断運動なしに生成物のブロックからの移送を実現することは困難である。
【００１３】
唇の個人の形態に適したアプリケータを作製するための出願WO2013/045332、FR2980345、WO2013/092726、およびFR2984699には他の解決策が記載されている。このことを実現するために、一般的に補正された唇の輪郭の記録からユーザの唇のインプレッションが作製され、次いで、アプリケータとして使用されるカウンターモールドが作製される。ユーザは、生成物を、唇に塗布する前にカウンターモールド内に配置する。別の方法として、生成物を多数の穴を介してカウンターモールド内に送り込む。この解決策は、特に塗布のきれいさおよび速度に関する進歩となるものであるが、理想的な化粧の塗布を可能にするものではない。
【００１４】
これらの解決策のうちのどちらの場合も、アプリケータがユーザに迅速に利用可能になることはない。特に化粧後の唇の形状を変えたい場合だけでなく、視覚もしくは運動能力に問題があるかまたは経験のない個人の場合に、アプリケータを迅速に利用可能にできると、ユーザが1回または複数の試験を実施することによって結果を検査できるようになるので、このことは重要である。このことの必要性は、ユーザが自分に最も適した解決策に向かって複数回にわたって少しずつ試したい例ではさらに増す。たとえば、ユーザが輪郭に関していくつかの異なる考えを有し、いくつかの結果を試すことを望む例では、いくつかのアプリケータを有すると有利である場合がある。
【００１５】
新しいアプリケータを要求し迅速に取得することが可能であることも魅力的である。実際、旅行時には、個人は化粧品の一部を携行するのを忘れることがある。その結果、いつもの見た目にすることを望む個人は、化粧を施さないか、それとも近くの販売店で入手可能な生成物を使用して化粧を施すかを選択する必要があるので厄介な状況に陥る。入手可能な生成物を使用して化粧を施す場合、個人向けアプリケータを入手できず、リップスティックのスティックまたはブラシアプリケータなどの従来の生成物に頼る必要があり、首尾よく化粧による見た目を実現できない恐れがある。さらに、人はアプリケータを紛失するかまたは損傷する場合がある。
【００１６】
ユーザは、形状が個人向けのものであるにもかかわらず、特に友人またはメークアップアーティストのアドバイスを得るかまたは求めるために、アプリケータ同士を交換するかまたはアプリケータの実演モデルとなることを望む場合がある。アプリケータを共有することを望む個人が近くにいない場合、その時点での唯一の方法は、塗布後に結果の写真を撮り、その個人に送ることである。この方法は近似的なものであり、アドバイスはいくらか不適切になる。したがって、実際の対象物を示すことができると有利である。
【先行技術文献】
【特許文献】
【００１７】
【特許文献１】FR752860
【特許文献２】米国特許第2279781号
【特許文献３】米国特許第2207959号
【特許文献４】FR663805
【特許文献５】米国特許第2412073号
【特許文献６】米国特許第3308837号
【特許文献７】米国特許第2735435号
【特許文献８】米国特許第1556744号
【特許文献９】米国特許第2248533号
【特許文献１０】米国特許第2416029号
【特許文献１１】米国特許第1944691号
【特許文献１２】米国特許第1782911号
【特許文献１３】米国特許第2554965号
【特許文献１４】米国特許第2199720号
【特許文献１５】WO2008/013608
【特許文献１６】米国特許出願公開第2003/209254号
【特許文献１７】米国特許出願公開第2010/0322693号
【特許文献１８】米国特許出願公開第2012/192884号
【特許文献１９】米国特許出願公開第2011/123703号
【特許文献２０】米国特許出願公開第2009/151741号
【特許文献２１】米国特許出願公開第2016/000208号
【特許文献２２】WO2013/045332
【特許文献２３】FR2980345
【特許文献２４】WO2013/092726
【特許文献２５】FR2984699
【非特許文献】
【００１８】
【非特許文献１】M. Stevicら、"Fabrication of personalized lipstick applicator using 3D printing technology"、2017年の会議"The International Federation of Societies of Cosmetic Chemists"
【発明の概要】
【発明が解決しようとする課題】
【００１９】
したがって、所望の形状に個人向けにされたアプリケータであって、ユーザの顔に応じて、特に唇の理想的な輪郭に従った、化粧による忠実で調和のとれた見た目をもたらすアプリケータを短時間で作製する必要がある。
【課題を解決するための手段】
【００２０】
本発明は、この課題を満たすことを追求し、その態様のうちの1つにおける主題は、塗布表面を備える、生成物、特に化粧品をケラチン物質、特に唇に塗布するための個人向けアプリケータを製造するための方法であって、
a)個人のケラチン物質の外観を修正する組成物を個人のケラチン物質の表面に塗布するステップと、
b)このように覆われた表面の形状と組成物の位置に関する情報を提供する少なくとも1つの画像との光学的取得を実行するステップと、
c)この取得によって、アプリケータまたはアプリケータの製造を目的とした型を作製するステップとを含む方法である。
【００２１】
この形状は、組成物で覆われた表面を3Dスキャンし、特に前記表面上に構造化光を投影するか、または写真測量による取得を実行することによって取得されてもよい。組成物の位置に関する情報を提供する画像は、たとえば、形状を取得するのに使用されるのと同じデバイスを使用して撮影された個人の口の写真であってもよい。
【００２２】
本発明の態様のうちの別の態様によれば、本発明の主題は、組成物を装填することのできる材料から作られた塗布表面を備える、化粧組成物を唇に塗布するための個人向けアプリケータを製造するための方法であって、
a)唇の表面の少なくとも一部の形状の3Dスキャンを実行するステップと、
b)少なくとも前記スキャンにより、プリフォームを機械加工するかまたは付加製造を行うことによって、アプリケータの少なくとも一部またはアプリケータの少なくとも一部を製造するのに使用される型を作製するステップとを含む方法である。
【００２３】
唇の形状のスキャンは、口の周りに広がる皮膚の領域のスキャンを含んでもよく、好ましくは、鼻、頬、目、または額などの顔の他の領域のスキャンを除外する。
【００２４】
本発明は、ユーザに適するように特注された形態学的アプリケータによって、本格的な品質の化粧による見た目自体を、ケラチン物質、好ましくは唇の表面上であるが、目蓋または顔の任意の他の領域、たとえば、頬骨に同等に実現するのを可能にする。
【００２５】
本発明による個人向けアプリケータは特に、口を完全に画定し、必要な場合は、口を均一に色付けるのを可能にする。
【００２６】
取得、および再加工された表面
アプリケータの塗布表面の輪郭は、唇の自然な輪郭に対応してもよい。
【００２７】
代替として、塗布表面の輪郭は、たとえば、欠陥を補正するかまたは化粧後の唇の外観を変えるために、唇の自然な輪郭から逸脱する。
【００２８】
前述の方法のいずれも、スキャンされた唇の自然な輪郭とは異なる輪郭、特に異なる形状のキューピッドの弓ならびに/または異なる高さおよび/もしくは異なる幅を作成するステップを含んでもよい。したがって、たとえばリップペンシルを使用して、ユーザに最も適しており、理想的と考えられる形状を有する輪郭を画定することが可能である。この輪郭は、前述の組成物の塗布時に作成され、および/またはソフトウェアを使用して作成されてもよい。
【００２９】
したがって、上記の方法のうちのいずれも、特に画像処理ソフトウェアを使用して、表面の形状を取得することによって導出されるデータから、再加工された3D表面を生成することを含むステップを含んでもよい。
【００３０】
「再加工された3D表面」によって意味されるのは、取得された形状の自然な表面との比較によって修正された形状および/または輪郭の表面である。
【００３１】
上記の方法のうちのいずれも、唇の自然な表面とは異なる再加工された3D表面の生成を含んでもよく、アプリケータまたはアプリケータの製造に使用される型は、少なくとも部分的にこの再加工された表面によって与えられる形状を有する。
【００３２】
本発明は、きれいな輪郭を有する化粧結果をもたらし、顔の調和を改善するのを可能にする。本発明はまた、単一のジェスチャーにおいて、任意の場所に、場合によっては鏡なしで、たとえば車内または職場において、化粧を非常に迅速に施す方法を提供する。
【００３３】
本発明は、明るい色で、ならびに/または長持ちする組成物を危険なしに、場合によっては毎日使用して、化粧を施すのを可能にする。その理由は、この個人向けアプリケータは、既知のアプリケータを使用してこの種の生成物が塗布されたときに生じる障害を回避することを可能にするからである。
【００３４】
本発明による個人向けアプリケータは、唇の輪郭を画定し直し、再モデル化効果をもたらすのを可能にし、したがって、特に皮膚の老化によって輪郭が曖昧になり、もはやあえて化粧を施さない人によって使用することができる。
【００３５】
本発明はまた、他の誰か、たとえば、象徴的な微笑みを有するスターのやり方で唇の化粧を施すことを可能にする。
【００３６】
再加工された表面は、アプリケータが唇に通常通りに当てられるときに塗布表面とスキャンされた唇との間に空間を残すように、場合によっては唇の自然な表面から逸脱して唇の輪郭の内側に位置してもよい。この空間は、以下に詳細に説明するように自己膨張する組成物を収容する働きをしてもよい。
【００３７】
再加工された表面は、化粧後の唇の輪郭を修正するために、スキャンされた唇の自然な輪郭とは異なる唇の輪郭を除いて、スキャンによる唇の自然な表面と一致してもよい。
【００３８】
3Dスキャンを実行するには、関連するゾーンの体積および寸法を取り込むことのできる任意の3Dスキャナを使用することが可能である。好ましくは、関連するゾーンの色および外観を取り込むこともできる3Dスキャナを使用して、組成物の位置に関する情報を提供する1つまたは複数の画像を取得する。
【００３９】
3Dスキャンは有利なことに、光の縞を投影することによって生成されるスキャンであるが、任意の他の構造化光が使用可能である。
【００４０】
本発明による方法のうちのいずれも、少なくとも2つの化粧結果から選択するための選択肢をユーザに与えることを含むステップを含んでもよく、再加工された表面は、少なくともこの選択に基づいて、たとえば、ソフトウェアを使用して自動的に生成される。
【００４１】
上記の方法のうちのいずれも、3Dスキャンから得られた表面、特に表面の輪郭をモデル化し、したがって、再加工された表面を生成するのを可能にすることを含むステップを含んでもよい。このモデル化は、3Dスキャンを表すデータが電気通信ネットワーク、特にインターネットまたはGSM/GPRSを介して送信されているワークステーションからのソフトウェアを使用してリモートに実行されてもよい。このリモートワークステーションは、たとえばメークアップアーティストのリモートワークステーションである。
【００４２】
したがって、上記の方法のうちのいずれも、たとえば、インターネットベースのビデオ電話プラットフォームを使用して唇がスキャンされた個人にその人相（physiognomy）に応じて提案すべきモデルを提供する第三者とのリモート接続を確立するステップを含んでもよい。
【００４３】
上記の方法のうちのいずれも、特にソフトウェアを使用して自動的に、唇および/または顔の対称性を検出するステップを含んでもよく、再加工された表面の計算は、好ましくは自動的に、少なくとも検出された対称性を考慮することによって実行されてもよい。
【００４４】
上記の方法のうちのいずれも、唇の少なくとも1つの画像から唇の輪郭を、好ましくは自動的に形成するステップを含んでもよい。輪郭形成によって導出され、「スプライン」と呼ばれ、特に少なくとも10個の制御点を有し、より好適には少なくとも20個の制御点を有する曲線が作成されてもよい。オペレータは適切な場合、たとえば、唇の画面上表面を処理することによって、これらの制御点の位置を修正することを許可される。
【００４５】
上記の方法のうちのいずれも、特に唇の少なくとも1つの画像から、唇の自然な輪郭上の複数の点を決定し、これらの点間の補間によって唇の自然な輪郭を推定するステップを含んでもよい。
【００４６】
上記の方法のうちのいずれも、特に、オペレータが輪郭を通過させたい点をオペレータが視覚的に配置するのを可能にする少なくとも1つの画像から、再加工された表面の輪郭上の複数の点を決定し、これらの点間の補間によって再加工された表面の輪郭の少なくとも一部を生成するステップを含んでもよい。
【００４７】
上記の方法のうちのいずれも、スキャンされた唇の自然な表面および/またはアプリケータによって得られた化粧結果および/または再加工された表面を表示するステップを含んでもよい。
【００４８】
上記の方法のうちのいずれも、個人向けアプリケータによって得ることのできるような、ケラチン物質の化粧、特に唇の化粧のシミュレーションによって個人の顔の少なくとも一部を表示するステップを含んでもよい。したがって、アプリケータの対象となる個人は、作業の進行を監視してもよく、したがって、できるだけ早く正しい結果に満足し、必要に応じて補正を要求することができる。
【００４９】
組成物の事前塗布
有利なことに、3Dスキャンよりも前に、上述のように、画定された輪郭に応じて組成物を唇に塗布してもよい。この輪郭は、特に唇の自然な輪郭を化粧によって修正することを望まないときには、唇の自然な輪郭に対応してもよい。代替として、この輪郭は、唇の自然な輪郭とは異なる、作製すべき塗布表面の輪郭に対応する。
【００５０】
組成物が塗布される表面は、唇の少なくとも一部にわたって広がり、ならびに/または特に、唇の自然な輪郭を補正することが重要であるときには、唇の周りの皮膚の少なくとも一部にわたって広がってもよい。
【００５１】
組成物は、唇の輪郭を画定し直すように塗布されることが好ましい。
【００５２】
この組成物は、皮膚上に少なくとも1つの点においてあふれ出てもよい。代替または追加として、組成物は、唇の自然な輪郭から奥まった少なくとも1つの場所に塗布される。組成物は、キューピッドの弓形を画定し直し、ならびに/または唇の高さ、唇の幅の修正および/もしくは対称性の補正を行うように塗布されてもよい。
【００５３】
組成物は、リップスティック、特に白色のリップスティックであってもよい。そのような色は、形状を取得し、ならびに/または特に自動的に輪郭を描けるように組成物の輪郭を視覚化するのをより容易にしてもよい。組成物は、好ましくは、顔の残りの部分との顕著なコントラストを示す色を有し、それによって、組成物が塗布された領域の輪郭を容易に取り込むことができる。組成物は、好ましくは、唇の自然な輪郭を見えなくするのに十分な程度に被覆される。
【００５４】
組成物は、好ましくは、艶消しの外観を有し、それによって不要な反射の発生率を低下させる。光沢のある外観を有する組成物が使用される代替形態では、明るさを低減させるために取得時に偏光子などの光学手段が使用されてもよい。また別の代替形態では、唇がタルクなどの艶消し生成物のファインコートで覆われる。
【００５５】
組成物は、一様な被膜として塗布されてもよい。代替として、組成物は、ゾーン、特に唇の輪郭を画定する線に沿って塗布される。
【００５６】
組成物は、特に、色を検出できない3Dスキャナを使用する場合に、唇上に形成された境界を形状の取得時に検出可能にするのに十分な厚さに塗布されてもよい。シリコーンペーストなどの、十分な厚さに塗布できる組成物が使用されてもよい。実現すべき化粧による見た目の輪郭に沿って粘着フィラメントが貼り付けられてもよい。
【００５７】
上記の方法のうちのいずれも、塗布の少なくとも1つのモデルを画面上に表示し、場合によってはモデルを選択するステップであって、組成物が、このモデルに従って塗布される、ステップを含んでもよい。
【００５８】
好ましくは、たとえば、販売店または施設にユーザにアドバイスするメークアップアーティストが存在する。メークアップアーティストは有利なことに、メークアップアーティストの専門知識に従って、顔全体に適するように、ユーザのケラチン物質に組成物を塗布する。
【００５９】
理想的な形状は、化粧の所望の色に依存してもよい。化粧の塗布および除去の回数が多くなるのを避けるために、それぞれに異なる色の化粧における理想的な形状を探す際に、所与の色での化粧の1つまたは複数の異なる例の1枚または複数の写真が撮られてもよく、次いで画像レタッチソフトウェアを使用して色を変更し、結果が依然として整合していることを確認することができる。整合していない場合、プロセスは最初からやり直される。理想的な形状は、化粧についての所望の仕上げ、個人の技能、個人のヘアスタイル、および部屋の照明に依存することもある。したがって、探索は、それぞれに異なる所望の化粧条件、それぞれに異なる技能レベル、それぞれに異なるヘアスタイル、および/またはそれぞれに異なる室内照明について、実際の条件において、または画像レタッチソフトウェアを使用した連続シミュレーションによって、同様に行われてもよい。
【００６０】
第1の組成物を使用して理想的な輪郭を探し、次いでゾーン形状取得により適した第2の組成物を使用することも可能である。その理由は、組成物が、形状取得時に使用される構造化光に対してよりうまく振る舞うか、または組成物を上述のように十分な厚さで塗布することがより容易であるからである。粘着フィラメントを使用して、第1の組成物で覆われた領域の輪郭を追跡してもよく、次いで、唇から化粧が除去された後フィラメントを使用して形状取得が実行される。第1の組成物によって得られた結果は、写真を撮ることによって記憶されてもよい。
【００６１】
各々が独自の経験を有するそれぞれに異なるメークアップアーティストによって理想的な形状を求める様々な試験が実施されてもよい。1人のアーティストが前のアーティストによって行われた作業を利用し、同時に可能な改良点を探してもよい。
【００６２】
ユーザは、自分が理想的に見える化粧を自分自身で施し、次いで形状取得態様についてオペレータに頼ってもよい。したがって、形状取得ステップは、後で、理想的な形状が探索された場所以外の場所で行われてもよい。
【００６３】
上記の方法のうちのいずれも、個人を組成物の塗布へと導く第三者とのリモート接続を確立するステップを含んでもよい。代替として、電子アシスタントが、特にコンピュータまたはスマートフォン上でユーザを指導する。
【００６４】
ケラチン物質、特に唇は、個人によって検証された結果に応じて化粧され、次いで化粧が除去されてもよく、次いで、形状取得により適した組成物が、検証されたばかりの輪郭と同じ輪郭に適用され、それによって3Dスキャンを行うことができる。
【００６５】
組成物を塗布した後に得られる化粧結果は、有利なことに、表面の形状の光学的取得を進める前に個人によって検証される。
【００６６】
上記の方法のうちのいずれも、画像処理を使用することによって組成物で覆われた領域の輪郭を自動的に形成するステップを含んでもよい。次いで、目視検査を行ってこの輪郭形成が正しいことを確認しもよい。
【００６７】
上記の方法のうちのいずれも、組成物で覆われた領域の画像内の点を手動で特定し、これらの点から、アプリケータまたは型を作製するのに使用される輪郭を自動的に決定するステップを含んでもよい。
【００６８】
アプリケータ製造
CNCマシン(コンピュータ数値制御マシン)または3Dプリンタによって読み取ることのできるファイルが有利なことに生成され、特に、たとえば、クラウド内または中央サーバ上に自動的に記憶して、すべてのユーザアクセスポイント、たとえば、販売店または施設に送ることができる。ファイルは、ユーザに送られてもよい。余分な試験を避けるために、ファイルを採用されないままにしておくことも可能である。
【００６９】
有利なことに、唇の3Dスキャンから得られた表面、場合によっては、再加工された表面の変換された数値コピーが作成され、次いで前記表面とその変換されたコピーとの間の、アプリケータまたは型の平滑化された体積が生成されてもよい。代替として、前記表面と標準的なアプリケータ表面との間の、アプリケータまたは型の平滑化された体積、特にいくつかの取得された表面からの学習によって作成された体積が生成される。
【００７０】
変形形態では、体積を得るために、Geomagic Wrap 3Dツールボックスによって提供されるようなシェル関数が使用されてもよい。そのような関数は、各ローカルノームに従って一定の厚さの体積を表面から作成する。したがって、この場合、アプリケータの外面は、もはや機能表面のコピーではなく、シェル関数を数学的に生成したものである。
【００７１】
アプリケータは、好ましくは、後部にハンドルが設けられる。前記ハンドルは、取外し可能であっても、またはクリップによって取り付けられてもよい。
【００７２】
たとえば、メーカーおよび/または所有者を認識できるように、メーカーおよび/または名前などの1つまたは複数の異なる符号がアプリケータ上に記されてもよい。
【００７３】
アプリケータは、機械加工、好ましくはマイクロマシーニングによって作製されてもよい。有利なことに、機械加工後に得られる形状に応じて多数の中から、特に自動的に選択されたプリフォームが、機械加工される。これによって製造時間の短縮が可能になる。これらのプリフォームは、たとえば、様々な口を測定するように作られてもよく、それらの口の、機械加工すべき面は、有利なことに、自然な唇の表面積よりも大きい。プリフォームには、裏面がすでに形成されていてもよく、裏面は、ハンドルを有することも有しないこともあり、またはハンドルを裏面に取り付けるためのシステムを有することも有しないこともあり、化粧品を含むことのできるコンパートメントを取り付けるシステムを有することも有しないこともある。
【００７４】
選択されるプリフォームは、ユーザの唇のインプレッションから作製されるカウンターモールドに対応してもよい。このインプレッションは、硬化可能な材料を使用して作られてもよい。ユーザの唇は、有利なことに、硬化可能な材料を塗布する間、材料が少なくとも部分的に凝固するまで静止して閉じられたままである。
【００７５】
プリフォームの縁部および上面は、アプリケータの塗布表面に対応し、有利なことに、再加工された3D表面によって決定される所望の輪郭に従って、たとえばレーザー、水ジェット、または砥石車によって機械加工される。この整形プロセスは数分しかかからないので、販売店でアプリケータを購入し、待つ必要なしに店を出ることが可能である。したがって、ユーザにいくつかの異なるアプリケータを提供することが可能であり、ユーザはこれらのアプリケータを比較のために試験し、ユーザが好む1つまたは複数のアプリケータを選択することができる。
【００７６】
アプリケータにハンドルが設けられる場合、有利なことに、すでにハンドルを備えるプリフォームが機械加工される。代替として、プリフォームは、取外し可能なハンドルまたはクリップ留めすることができるハンドルを受け入れることができるように機械加工される。
【００７７】
本発明は、必要に応じて、アプリケータを携帯するのを忘れたときに、またはアプリケータを紛失したという理由で、または誰かが他の誰かとアプリケータを共有したいという理由で、アプリケータをリモートで再生する選択肢を提供する。コンピュータメモリに記憶された3Dファイルを送るか、または送らせ、それによって任意の場所で再生を行えるようにするだけでよい。
【００７８】
代替として、アプリケータまたはその製造を目的とした型は、付加方法、特に3D印刷によって、場合によってはプリフォームから作製される。
【００７９】
3Dプリンタはフィラメントプリンタであってもよい。使用される3Dプリンタは、Zにおける精度として0.5mm、より好適には0.1mm、さらに好適には0.03mmを実現してもよい。
【００８０】
3D印刷の場合、印刷は、支持体、またはたとえば、ハンドルを有することも有しないこともあるプリフォーム、ハンドルをプリフォームに取り付けるためのシステムを有することも有しないこともあるプリフォーム、もしくは化粧品を含むことのできるコンパートメントを有することも有しないこともあるプリフォームなどの所定の物体上に行うことができる。
【００８１】
好ましくは、アプリケータには、組成物に浸漬させたパッドに接触させることによって完全にまたは部分的に組成物が装填される。パッドは、有利なことに、アプリケータの形状に合うように、塗布表面に接触するようになっている表面がドーム状になっている。代替形態では、アプリケータは、組成物のブロックによって組成物が直接装填され、代替としてフロックアプリケータを備え、ブラシまたは組成物を含浸させた任意の他の塗布手段を備える。
【００８２】
代替として、アプリケータは、ケラチン物質に塗布されることを目的とした化粧組成物を供給するように設計され、後部に取り付けられたリザーバを備えてもよい。代替として、アプリケータは、後でリザーバ上に取り付けられる。
【００８３】
アプリケータの塗布表面は、少なくとも部分的にフロックで覆われてもよい。
【００８４】
アプリケータの塗布表面は、アプリケータをせん断運動なしに唇に押し付けることによって、単一のジェスチャーで唇の全体またはほぼ全体に組成物を塗布するように構成されてもよい。
【００８５】
アプリケータは、ショアA硬度が30ショアA以上またはより好適には60ショアA以上である材料から作られてもよい。
【００８６】
アプリケータは、ブリネル硬度が600HBより低く、またはより好適には150HBよりも低い材料から作られてもよい。
【００８７】
製造ステップのシーケンス
輪郭を画定する動作、組成物を塗布する前後に形状を取得する動作、塗布表面を作製する動作、および個人向けアプリケータを製造する動作を、単一の場所において組み合わせることが可能である。
【００８８】
その場合、マイクロマシーニングによる製造が特に適している。その理由は、製造がこのように非常に短時間のうちに労力をほとんど必要とせずに実施されるからである。その結果、ユーザが待たされないだけでなく、数人のユーザが同時に対処されて混乱が生じる恐れがなくなる。
【００８９】
代替として、ユーザが移動する必要なしに各動作がいくつかの場所で実行される。たとえば、3Dスキャンステップをユーザがいる場所で行うことができる。理想的な輪郭を画定するステップは、美的な選択を助けるためにリモートにおいてメークアップアーティストがいる場所で実行することができる。その場合、メークアップアーティストは、スキャンのファイルを受信し、電子的に送られる画面上モデリングを通していくつかの選択肢をユーザに提供することができる。それによって、対話によるアドバイスが得られ、アプリケータの最良の形状を見つけることが可能になる。
【００９０】
再加工された表面は、理想的な形状を画定した後に受信されたファイルからリモートで作製されてもよく、再加工された表面に関する情報を含むファイルは、製造機械が位置する場所ならどこへでも送ることができる。
【００９１】
製造は、リモートにおいてまた別の場所で実行されてもよく、オペレータが、個人向けアプリケータをユーザに対して、第1のステップが実行された場所に送るか、または別の住所、たとえば、ユーザの自宅の住所に直接送る。
【００９２】
いくつかのアプリケータ製造動作、たとえば、3Dスキャンまたは光学的取得の直後の、特にユーザがいる場所またはその近くでの製造と、予備を利用可能にするための、上記の製造と同時またはその後の1つまたは複数の他の製造とを実行することも可能である。第1の製造は、好ましくは、たとえば、低精度機械によって、マイクロマシーニングによって実施される。第2の製造は、マイクロマシーニングまたは3Dプリンタによって特に高生産率で実施されてもよい。アプリケータの第1のバージョンは、基本品質材料、たとえばプラスチックから作られてもよい。アプリケータの第1のバージョンは、数日間のみの試験に使用され、次いで後のバージョンを優先して破棄されることを目的としたものであってもよい。後のバージョンは、より強度の高いプラスチック、金属、またはセラミックなどのより高品質の材料から作られてもよい。
【００９３】
ある動作を自律的に実施することも可能である。
【００９４】
本発明による様々な個人向けアプリケータをすでに作製したユーザは、新しいアプリケータを作製するための様々な訪問時に記録された様々な3Dファイルの平均または別の組合せを作成してもよい。
【００９５】
唇輪郭形成アプリケータ
代替として、個人向けアプリケータの塗布表面は、唇の輪郭に相当する場合がある唇の一部のみに組成物を塗布するように構成される。
【００９６】
塗布表面は、唇のキューピッドの弓形、または場合によっては唇の輪郭全体を再生してもよい。その場合、塗布表面は、アプリケータのフィラメント状部分または中空部分によって少なくとも部分的に画定されてもよい。
【００９７】
代替形態では、塗布表面は固体であり、塗布表面の周辺部は、唇の輪郭に化粧を施すことを目的としたものであり、組成物を装填することができる材料であって、塗布表面の残りの部分を作製するのに使用される材料とは異なる材料から作られる。有利なことに、周辺部の材料のみで、充填材料によって生成物を取り込むのに十分な付着力が与えられる。
【００９８】
代替として、塗布表面は、その周辺部を除いて、たとえばフロックで被覆される。また別の代替形態では、塗布表面の周辺部を除いて、塗布表面の内側にシリコーンが堆積される。
【００９９】
本発明の態様のうちで別の態様による本発明の別の主題は、唇に押し付けられる塗布表面であって、前記唇の輪郭のみを化粧するように前記唇の周辺のみに組成物を塗布するように構成された塗布表面を備える、移送によって化粧組成物を唇に塗布するためのアプリケータである。
【０１００】
塗布表面は、アプリケータのフィラメント状部分または中空部分によって少なくとも部分的に画定されてもよい。
【０１０１】
塗布表面がアプリケータのフィラメント状部分によって画定される例では、アプリケータは、後部のハンドルによって延ばされてもよい中央部と、前記中央部から延びて、端部および中央において、それぞれ上唇および下唇の輪郭を形成するアプリケータの2つの部分、すなわち上部および下部を支持する4本のアームとを備えてもよい。上部および下部は、有利なことに、その端部において当接する。
【０１０２】
代替形態では、塗布表面は固体であり、塗布表面の周辺部は、唇の輪郭に化粧を施すことを目的としたものであり、組成物を装填することができる材料であって、塗布表面の残りの部分を作製するのに使用される材料とは異なる材料から作られる。
【０１０３】
代替として、塗布表面は、その周辺部を除いて、フロックで被覆される。また別の代替形態では、塗布表面の周辺部を除いて、塗布表面の内側にシリコーンが堆積される。したがって、フロックおよびシリコーンは、唇の輪郭よりも内側に装填される。
【０１０４】
塗布表面の形状は、有利なことに、個人の唇の3Dスキャンから作製される。塗布表面は、唇のキューピッドの弓形、または場合によっては唇の輪郭全体を再生してもよい。
【０１０５】
アプリケータは、組成物を上唇と下唇に同時に塗布するように構成されてもよい。
【０１０６】
本発明の態様のうちでまた別の態様によれば、本発明の一主題は、唇に押し付けられる塗布表面であって、前記唇の輪郭のみを化粧するように前記唇の周辺のみに組成物を塗布するように構成された塗布表面を備える、移送によって化粧組成物を唇に塗布するためのアプリケータを製造するための方法であって、
a)3Dスキャンと個人の唇の表面の少なくとも一部の少なくとも1つの画像の取得とを含む光学的取得を実行するステップと、
b)少なくとも前記光学的取得により、プリフォームを機械加工するかまたは付加製造を行うことによって、塗布表面を備えるアプリケータの少なくとも一部またはアプリケータの少なくとも一部を製造するのに使用される型を作製するステップとを含む方法である。
【０１０７】
塗布表面の輪郭は、唇の自然な輪郭に対応してもよい。代替として、塗布表面の輪郭は、唇の自然な輪郭から逸脱している。
【０１０８】
この方法は、スキャンされた唇の自然な輪郭とは異なる再加工された輪郭、特に異なる形状のキューピッドの弓ならびに/または異なる高さおよび/もしくは異なる幅を作成するステップを含んでもよい。
【０１０９】
この方法は、少なくとも2つの唇輪郭化粧結果から選択するための選択肢をユーザに与えることからなるステップであって、再加工された輪郭を有する表面が、少なくともこの選択に基づいて生成される、ステップを含んでもよい。
【０１１０】
この方法は、スキャンされた唇の自然な表面および/またはアプリケータによって得られた化粧結果および/または再加工された輪郭を含む表面を表示するステップを含んでもよい。
【０１１１】
この方法は、オペレータが3Dスキャンから得られた表面をモデル化するのを可能にし、したがって、再加工された輪郭を含む表面を生成することを含むステップを含んでもよい。このモデル化は、3Dスキャンを表すデータが電気通信ネットワーク、特にインターネットまたはGSM/GPRSを介して送信されているワークステーションから実行されてもよい。
【０１１２】
この方法は、唇および/または顔の非対称を検出し、少なくとも検出された非対称を考慮して再加工された輪郭を含む表面を算出するステップを含んでもよい。
【０１１３】
この方法は、唇の前記少なくとも1つの取得された画像から唇の輪郭を、好ましくは自動的に形成するステップを含んでもよい。
【０１１４】
この方法は、特に唇の少なくとも1つの取得された画像から、唇の自然な輪郭上の複数の点を決定し、これらの点間の補間によって唇の自然な輪郭を推定するステップを含んでもよい。
【０１１５】
この方法は、特に、オペレータが、再加工された輪郭上の複数の点を、これらの点を視覚的に配置するのを可能にする少なくとも1つの画像から決定し、これらの点間の補間によって再加工された輪郭の少なくとも一部を生成するステップを含んでもよい。
【０１１６】
唇の3Dスキャンから得られた表面の変換された数値コピーが作成されてもよく、次いで前記表面とその変換されたコピーとの間の、アプリケータまたは型の平滑化された体積が生成されてもよい。
【０１１７】
アプリケータは、後部にハンドルが設けられてもよい。
【０１１８】
アプリケータは、機械加工によって作製されてもよい。その場合、機械加工後に得られる形状に応じて多数の中から、特に自動的に選択されたプリフォームが、機械加工されてもよい。
【０１１９】
すでにハンドルを備えるプリフォームを機械加工することが可能である。
【０１２０】
代替として、アプリケータまたはその製造を目的とした型は、付加方法、特に3D印刷によって作製される。
【０１２１】
この方法は、アプリケータによって得ることのできるような唇の輪郭の化粧のシミュレーションによって個人の顔の少なくとも一部を表示するステップを含んでもよい。
【０１２２】
3Dスキャンよりも前に、画定された輪郭に応じて組成物を唇に塗布してもよい。この輪郭は、唇の自然な輪郭に対応してもよい。代替として、この輪郭は、作製すべき塗布表面の輪郭に対応する。
【０１２３】
唇を美容処理する方法
本発明のさらなる主題は、唇を美容処理し、特に唇に化粧を施す方法であって、上記に定義された方法のうちの一方または他方を使用して得られる、唇に化粧組成物を塗布するための個人向けアプリケータを使用して唇に化粧組成物を塗布することを含む方法である。
【０１２４】
アプリケータには、好ましくは、組成物に浸漬させたパッドに接触させることによって組成物が装填される。
【０１２５】
組成物は、自己膨張してもよく、アプリケータが唇に通常通りに当てられたときに、膨張するにつれて、塗布表面と唇との間に残された空間を充填してもよい。それによって、きれいな輪郭を得ることが可能になる。その理由は、生成物が広がる際に、収容されあふれ出ることはできないからである。
【０１２６】
代替として、アプリケータは、加熱され、特にろうで作られた組成物の成形体と接触させることによって組成物が装填される。それによって、液体生成物ではなくろうベースのリップカラーを使用することが可能になる。第1の用途では、アプリケータは、唇のインプレッションを成形して成形体を得る働きをし、それによって組成物成形体を唇の形状に整形し、その後液体にされたリップスティックの層を取り込むために使用される。
【０１２７】
また別の代替形態では、組成物は接着剤であり、この方法は、唇に塗布される接着剤組成物に第2の化粧組成物を特に粉末形態で塗布するステップをさらに含む。
【０１２８】
この組成物は透明であってもよい。アプリケータは、そのような組成物が、その透明度のためにそれほど見やすくないにもかかわらず所望の点により容易に塗布されるようにする。
【０１２９】
化粧を施して唇の輪郭を形成する方法
本発明のまた別の主題は、唇に化粧を施す方法であって、唇に押し付けられる塗布表面であって、塗布表面に組成物を装填し、塗布表面を唇に押し付けることによって、唇の輪郭のみに化粧を施すように唇の周辺のみに組成物を塗布するように構成された塗布表面を備える、上記で定義されたアプリケータを使用して、唇の輪郭が画定される方法である。
【０１３０】
そのようなアプリケータは、個人向けであっても個人向けでなくてもよい。そのようなアプリケータは、唇に押し付けられることにより、単一のジェスチャーにおいて迅速にかつ正確に化粧によって唇の輪郭を形成するのを可能にする。
【０１３１】
アプリケータには、特に発泡体で作られた組成物に浸漬させたパッドに接触させることによって組成物が装填されてもよい。
【０１３２】
アプリケータは、加熱され、組成物成形体に接触させることによって組成物が装填されてもよい。
【０１３３】
輪郭の内側の空間には、液体、ペースト状、または固体の化粧組成物が充填されてもよい。化粧組成物は、描かれる輪郭と同じ色であってもよい。化粧組成物は、生成物のブロックを唇上に移動させることによって塗布されてもよい。代替形態では、液体化粧組成物が、ブラシまたはフロック型のアプリケータを用いるか、または傾斜端部を有するチューブを使用するか、または塗布用のボールを備えるアプリケータによって塗布される。また別の代替形態では、化粧組成物はペースト状であり、特にパレットに含められ、ブラシまたは指で塗布されてもよい。
【０１３４】
代替形態では、輪郭の内側に塗布される組成物は輪郭と色が異なり、移送によって塗布される。
【０１３５】
輪郭を画定するのに使用される塗布表面は、好ましくは、個人の唇の3Dスキャンから得られている。同様に、輪郭の内側に移送によって組成物を塗布するのに使用される表面は、好ましくは個人の唇の3Dスキャンから得られている。
【０１３６】
適切ならば、唇の輪郭のみに化粧を施すように唇の周辺のみに組成物を塗布するように構成された塗布表面を備えるアプリケータ部と、輪郭の内側に移送によって組成物を塗布するのに使用される表面を有し、個人の唇の3Dスキャンから得られているインサートとを嵌め合わせることができる。次いで、得られたアプリケータを唇に押し付けることができる。インサートには、輪郭を形成するのに使用されるアプリケータ部とは異なる組成物が装填されてもよい。それによって、2生成物化粧塗布を実現するのがより容易になる。
【０１３７】
ケラチン物質に化粧を施す方法
本発明の別の主題は、上記で定義された方法を実施することによって得られる、ケラチン物質に化粧品を塗布するための個人向けアプリケータを使用して化粧を施すための方法であって、アプリケータを前記個人のケラチン物質と接触させるステップと、前記物質上に化粧品を移送するステップとを含む方法である。
【０１３８】
この化粧方法は、唇に化粧を施すために実施することができ、前記ケラチン物質は、唇の少なくとも一部を含み、より好適には皮膚の隣接する領域の少なくとも一部を含む。
【０１３９】
本発明は、その非限定的実施形態についての以下の詳細な説明を読むことにより、また添付図面を調べることにより、よりよく理解されよう。
【図面の簡単な説明】
【０１４０】
【図１】本発明による個人向けアプリケータを製造するための方法の例における様々なステップを示す図である。
【図２】本発明による唇の再加工された輪郭の画定時に修正することのできるパラメータを示す図である。
【図３】組成物の塗布後における唇の表面形状の取得の例を示す図である。
【図４】組成物の塗布後における唇の表面形状の取得の例を示す図である。
【図５】組成物の塗布後における唇の表面形状の取得の例を示す図である。
【図６】組成物の塗布後における唇の表面形状の取得の例を示す図である。
【図７】スプライン輪郭形成曲線の作成を示す図である。
【図８】再加工された表面の作製の一例を示す図である。
【図９】図8の表面を使用したアプリケータについての平滑化された体積の作成を示す図である。
【図１０】個人向けアプリケータのコンピュータシミュレーションを示す図である。
【図１１】機械加工を使用して本発明によって作製されたアプリケータを示す図である。
【図１２】マイクロマシーニングを使用して本発明によるアプリケータを作製するためのプリフォームの一例を示す図である。
【図１３】3D印刷によって作製されたアプリケータの代替形態を示す図である。
【図１４Ａ】本発明によるアプリケータの中央平面上の垂直部分断面図である。
【図１４Ｂ】本発明によるアプリケータの中央平面上の垂直部分断面図である。
【図１５】生成物リザーバを備えるアプリケータの代替形態を示す図である。
【図１６】本発明によるアプリケータに装填することを目的とした組成物が含浸されたパッドを示す図である。
【図１７】本発明による個人向けアプリケータを含むボックスを示す図である。
【図１８】塗布表面が、唇の輪郭のみに化粧を施すように唇の周辺のみに組成物を塗布するように構成された、本発明によるアプリケータの代替形態を示す図である。
【図１９】塗布表面が、唇の輪郭のみに化粧を施すように唇の周辺のみに組成物を塗布するように構成された、本発明によるアプリケータの代替形態を示す図である。
【図２０Ａ】唇の輪郭のみに化粧を施すための本発明によるアプリケータの代替形態の中央平面上の垂直部分断面図である。
【図２０Ｂ】唇の輪郭のみに化粧を施すための本発明によるアプリケータの代替形態の中央平面上の垂直部分断面図である。
【図２０Ｃ】唇の輪郭のみに化粧を施すための本発明によるアプリケータの代替形態の中央平面上の垂直部分断面図である。
【図２０Ｄ】唇の輪郭のみに化粧を施すための本発明によるアプリケータの代替形態の中央平面上の垂直部分断面図である。
【図２１】唇の輪郭のみに化粧を施す本発明によるアプリケータを使用して唇の輪郭に化粧を施した結果の例を示す図である。
【図２２】本発明によるアプリケータを用いて実現された唇の化粧の写真と本発明によるアプリケータを用いずに実現された唇の化粧の写真とを示す図である。
【図２３】本発明によるアプリケータおよび接着剤組成物によって実現された唇の化粧を示す図である。
【図２４】本発明によるアプリケータおよび接着剤組成物によって実現された唇の化粧を示す図である。
【図２５】本発明によるアプリケータおよび接着剤組成物によって実現された唇の化粧を示す図である。
【図２６】本発明によるアプリケータおよび接着剤組成物によって実現された唇の化粧を示す図である。
【図２７】本発明によるアプリケータおよび接着剤組成物によって実現された唇の化粧を示す図である。
【図２８】本発明による個人向けアプリケータを製造するための方法におけるステップのシーケンスの一例を示す図である。
【発明を実施するための形態】
【０１４１】
唇に化粧組成物を塗布するための個人向けアプリケータ1を製造するための本発明による方法の一例における様々なステップを図1に示し、それらのステップについて以下に詳細に説明する。
【０１４２】
ステップ11の間、ユーザの唇の表面の少なくとも一部の形状の3Dスキャンが、3Dスキャナ31、たとえばArtec 3D "Spider"カラースキャナを使用して得られる。ステップ11の前に、以下に詳しく説明するように、ユーザの唇の少なくとも一部に組成物が塗布されている。3Dスキャンは、唇と、唇の周囲の皮膚の少なくとも一部とを含んでもよい。
【０１４３】
ステップ12の間、たとえば、GeomagicのWrap型の3Dソフトウェアを使用して、ステップ11で得られたスキャンから3D表面が生成され、CNCマシン、特にマイクロマシーニングマシン35または3Dプリンタ32によって読み取ることのできるファイルに記録される。このファイルは、有利なことに、メモリに記憶され、すべてのユーザアクセスポイント、たとえば販売店または施設に送られ、かつユーザに送られてもよい。
【０１４４】
生成された3D表面は、再加工することができ、唇の自然な表面とは異なってもよい。
【０１４５】
唇の少なくとも1つの画像に基づいて唇の輪郭を好ましくは自動的に形成することがステップ13において実行されてもよい。
【０１４６】
ステップ14の間に、唇の3Dスキャンから得られた表面Im2の変換された数値コピーCt2が作成され、次いで、前記表面Im2とその変換されたコピーCt2との間の、アプリケータまたはアプリケータの製造に使用される型の平滑化された体積Vが、図9(a)および図9(b)に示すように生成される。
【０１４７】
ステップ15の間に、3D表面のファイルから3D印刷または機械加工によって、個人向けアプリケータが作製される。
【０１４８】
ユーザの顔形状に完全に適合した化粧を実現するのを可能にするアプリケータを作製するために、スキャンされた唇の自然な輪郭とは異なる輪郭が生成されてもよい。
【０１４９】
したがって、アプリケータ1の塗布表面2の輪郭は、唇の自然な輪郭から逸脱してもよい。図2を見るとわかるように、唇の再加工された輪郭を画定する際に多数のパラメータ、たとえば、キューピッドの弓形ならびに/または上唇および下唇の一方および/もしくは他方についての異なる高さならびに/または異なる幅が修正されてもよい。唇および/または顔の非対称が検出されてもよく、再加工された輪郭では、たとえば、化粧後の唇において対称な外観を再確立するためにこのことが考慮に入れられている。
【０１５０】
理想的な輪郭を画定するのを助け、関連する領域の輪郭をより容易に取り込むことができるようにするために、唇の外観を修正する組成物がユーザの唇の少なくとも一部に塗布されてもよい。
【０１５１】
図3の例では、3Dスキャンの前に、唇の少なくとも一部およびユーザの唇の周りの皮膚に、赤いリップスティックが一様な被膜として塗布されている。このリップスティックは有利なことに、唇の輪郭をユーザの選択に応じて画定し直すように塗布されている。このリップスティックは、顔の残りの部分と比較して色の目立った違いを示すので、組成物が塗布される領域の輪郭は、3Dスキャナ31によって容易に認識される。組成物は、たとえば、唇の輪郭を画定する線に沿って、一様な被膜とは異なるように塗布されてもよい。図3(b)は、このようにリップスティックで覆われた表面の3D取得を示す。
【０１５２】
図4における代替形態では、シリコーンペーストが約0.5mmの厚さに塗布されている。それによって、図4(b)を見るとわかるように、色を検出できない3Dスキャナ、たとえば、Geomagic "Capture" 3Dスキャナが、組成物が塗布された領域の輪郭を取得するのを可能にする。
【０１５３】
図5の代替形態では、輪郭の理想的な形状を探すために赤いリップスティックまたは白いリップスティックが使用されている。色を検出できない3Dスキャナが取得を実行するために、たとえば、直径が0.5mmに等しい粘着フィラメントが、リップスティックによって画定された輪郭に沿って使用されている。次いで、3Dスキャンを実行するために唇から化粧が除去されている。
【０１５４】
図6の代替形態では、白いリップスティックが一様な被膜として塗布されている。白いリップスティックは、顔の残りの部分と比較して色の目立った違いを示すので、組成物が塗布される領域の輪郭は、図6(a)および6(b)を見るとわかるように3Dスキャナ31によって容易に認識される。
【０１５５】
唇の画像から唇の輪郭を自動的に作成することができ、図7に示すように、多数の制御点、たとえば、20個以上の制御点を有する「スプライン」を生成することが可能である。
【０１５６】
画像処理を使用して、アプリケータを作製するための領域を分離することが可能である。したがって、図8は、描かれた輪郭の外側の領域が除去された後の取り込まれた領域を示し、これは、作製途中のアプリケータ1の塗布表面2の画像Im2に対応する。
【０１５７】
図10は、図9(b)で見られる体積を作成した後の、本発明による個人向けアプリケータのコンピュータシミュレーションである。この例では、ユーザの名前に対応する特徴的な符号Sdがアプリケータ上に記される。
【０１５８】
図11の例では、本発明による個人向けアプリケータ1は、ハンドル4を備え、ステップ12において画定された表面に基づいて、前述のようにマイクロマシーニングによって製造されている。ユーザは、たとえば、作業を開始してから5分から15分後に自分のアプリケータを取得し、ただちに使用することができる。
【０１５９】
マイクロマシーニングによってアプリケータ1を作製するために使用されるプリフォーム20の一例が図12に示されている。このプリフォームは、上唇に対応する上部キャビティ34と、下唇に対応する下部キャビティ33とを有する。このプリフォーム20は、特に、機械加工後に得られる形状に応じて多数の中から自動的に選択することができる。この場合、コンピュータプログラムが、最終結果に最も適しており、たとえば、材料の必要な除去量が最も少ないプリフォームを示してもよい。プリフォーム20は、使用される材料に適合する任意の技術によって機械加工することができる。
【０１６０】
図13の代替形態では、個人向けアプリケータ1が、たとえば、ABSフィラメントが装填されたUltimaker 3型の3Dプリンタ32を使用して、ステップ12で画定された表面に基づいて3D印刷によって製造されている。ユーザは、たとえば、作業を開始してから約2時間から4時間後に自分のアプリケータを取得し、最初に洗浄した後使用することができる。
【０１６１】
図14Aは、図13のアプリケータを、口の垂直中央平面に対応する平面上の垂直部分断面図で示す。唇の形状に合った塗布表面2が見える。
【０１６２】
図14Bの代替形態では、塗布表面2とスキャンされた唇との間に空間Eが残されており、点線で示されている。再加工された表面は、アプリケータが通常通りに唇に押し付けられたときに、唇の輪郭の内側の唇の自然な表面から逸脱する。アプリケータ1は、自己膨張する組成物とともに使用することができ、この組成物は、膨張するにつれて、塗布表面2と唇との間に残された空間Eを充填する。
【０１６３】
図13の例では、アプリケータ1は、後部にハンドル4を備える。アプリケータは、たとえば、図16を見るとわかるように、アプリケータの形状に容易に適応する発泡体で作られた組成物が含浸されたドーム状パッドに接触させられるようになっている。図17の代替形態では、本発明による個人向けアプリケータ1および組成物が含浸されたパッド7が、たとえば鏡9を含むボックス8において提供される。
【０１６４】
図示されていない代替形態では、アプリケータ1が加熱され、アプリケータ1を組成物の成形体に接触させることによってアプリケータ1に組成物が装填される。
【０１６５】
図15の代替形態では、アプリケータ1は、化粧品を含むリザーバ6上に取り付けることができるように作製されている。リザーバ6は、たとえば可撓性のチューブである。しかし、本発明は、ある特定の種類のアプリケータまたはリザーバもしくはパッドに限定されない。
【０１６６】
図18および図20Aに示す代替形態では、本発明による個人向けアプリケータ10は、上述のように製造され、唇の輪郭のみを化粧するように唇の周辺のみに組成物を塗布するように構成された塗布表面2を有する。関連する例では、塗布表面2はアプリケータ10のフィラメント状部分によって画定される。この例では、アプリケータ10は、ハンドル4によって延ばされる中央部10aと、前記中央部から延び、端部および中央において、それぞれ上唇および下唇の輪郭を形成するアプリケータ10の上部18および下部19を支持する4本のアーム17とを備える。上部18および下部19は、その端部において当接する。
【０１６７】
図19および図20Bの代替形態では、塗布表面2はアプリケータ10の中空部分5によって画定される。
【０１６８】
図20Cの代替形態では、塗布表面2は固体であり、塗布表面2は、その周辺部2aを除いて、フロックで被覆される。
【０１６９】
図20Dの代替形態では、アプリケータ10は2つの材料で作られ、唇の輪郭を構成することを目的とする、固体塗布表面2の周辺部2aは、組成物を装填することのできる材料から作られ、塗布表面2の内側2bは、組成物を装填する能力が低いか、または場合によってはそのような能力がまったくない異なる材料から作られる。
【０１７０】
これらのアプリケータ10の輪郭は、上述のように、口の厳密な形状に従うか、または画定し直された形状に従うように形成されてもよい。
【０１７１】
図21(a)は、フィラメント状個人向けアプリケータ10を使用して唇の輪郭を構成した結果を示す。図21(b)は、中空の個人向けアプリケータ10を使用した結果を示す。これらの2つの例では、ユーザは、組成物が含浸されたパッドを使用して塗布表面2に組成物を装填して塗布表面2を唇に押し付けることによって、アプリケータ10を使用して唇の輪郭を形成している。輪郭は非常にきれいで非常に魅力的である。図示されない代替形態では、輪郭の内側の空間に、輪郭に使用された色と同じ色または異なる色の化粧組成物が充填される。このことを行うために使用されるアプリケータは、有利なことに、本発明による個人向けアプリケータ1であるか、または従来技術によるリップスティックのスティックである。
【０１７２】
従来技術のリップスティックアプリケータ、たとえばリップスティック型のスティックと本発明による個人向けアプリケータ1とによって得られた唇の化粧結果の比較が図22に示されている。右側に示されている個人向けアプリケータ1によって得られた化粧は高品質であり、輪郭が非常にきれいで非常に魅力的である。唇は、再モデル化されているように見え、よりふっくらして見える。唇の見た目に非常に目立った変化をもたらし、顔の全体的な調和を改善するには、ミリメートルスケールの唇の輪郭の微妙な変化で十分である。
【０１７３】
図23の例では、第1の組成物、たとえばScrap Cookingによって作られたグルコースシロップが、本発明によるアプリケータ1の塗布表面2に塗布されており、アプリケータ1は次いで、ユーザの唇に塗布するために使用される。このように第1の組成物が被覆された唇に、第2の組成物であるノンパレルシュガーボール、この例ではWonder Cakesによって作られたSilikomart Mini Wonder Pearlsが、ブラシによって塗布される。
【０１７４】
図24の例では、本発明によるアプリケータ1を使用してユーザの唇にもう一度グルコースシロップが塗布される。このように第1の組成物が被覆された唇に、第2の組成物、この例ではScrap Cookingによって作られた食用イリデッセントブルーパウダーが、ブラシによって塗布される。
【０１７５】
図25の例では、第1の色のマット液体リップスティックである第1の組成物が、本発明によるアプリケータ10を使用して唇の輪郭に排他的に塗布され、次いで、第1の色とは異なり、検討される例では、より軽い第2の色のマット液体リップスティックである第2の組成物が、前記第2の組成物が含浸されたパッド7によって組成物が装填された本発明によるアプリケータ1を使用して唇全体に塗布される。
【０１７６】
図26の例では、固体グリース赤色リップスティックである第1の組成物が、本発明によるアプリケータ1の塗布表面2にブラシ2によって塗布されており、アプリケータ1は次いで、ユーザの唇に塗布するために使用される。このように第1の組成物が被覆された唇に、この例ではScrap Cookingによって作られた食用ゴールドグリッターが、ブラシによって塗布される。
【０１７７】
図27の例では、ADM TronicによるPros-Aid Adhesiveなどの接着剤組成物が、本発明によるアプリケータ10に塗布され、次いで唇の輪郭に排他的に塗布される。次いで、図27(b)を見るとわかるように、このように接着剤組成物が被覆された輪郭に、ブラシによって食用ゴールドリーフが塗布される。第2の組成物、検討される例ではマット液体リップスティックが、前記第2の組成物が含浸されたパッド7によって組成物が装填された本発明によるアプリケータ1を使用して唇全体に塗布される。
【０１７８】
本発明による個人向けアプリケータは、数回の試みのみの後で一様な結果を非常に迅速に得るのを可能にする。
【０１７９】
次に、本発明による個人向けアプリケータを製造するための実施方法の様々な例について説明する。
【実施例１】
【０１８０】
図28に示す第1の例では、個人向けアプリケータを望むユーザが、ユーザのアプリケータを作製することによってユーザを指導するメークアップアーティストがいる販売店または施設に出向く。メークアップアーティストは、赤いリップスティックをユーザの唇に塗布して、唇の輪郭の理想的な形状を探し、たとえば、顔の全体的な調和に関して個人に最も適した唇の輪郭を画定し、ユーザが満足するまでわずかな調整を連続的に施す。このように組成物で覆われた唇の表面の形状の3Dスキャンが、カラー3Dスキャナ31を使用して行われる。3D表面およびアプリケータの体積が、スキャンの結果から生成され、上述のようにメークアップアーティストによって輪郭が画定され、マイクロマシーニングツール35を使用してアプリケータ1が製造される。この例が図11に示されている。
【実施例２】
【０１８１】
この例は、メークアップアーティストが、3Dスキャンが実行される場所とは異なる場所で作業することを除いて前述の例と同一であり、メークアップアーティストが、たとえばユーザの家庭を訪れているか、またはユーザがメークアップアーティストのサロンを訪れている。ユーザは次いで、3D取得およびアプリケータの製造がオペレータによって行われる販売店に出向く。
【実施例３】
【０１８２】
この例では、メークアップアーティストが、組成物を塗布し、形状の3Dスキャンを得ることによって、唇の輪郭に理想的な形状を見つけた後、それが行われた場所をユーザが、唇に上記のように化粧が施された状態で去り、これを利用して周りの人から意見を収集する。ユーザは次いで、アプリケータを作るかそれとも作らないかの注文をメークアップアーティストに送る。アプリケータを作る場合、メークアップアーティストは対応する3Dファイルを選択された場所に送り、オペレータがアプリケータを作製する。代替として、ユーザは周りの人の意見に依存してメークアップアーティストに変更を施させる。
【実施例４】
【０１８３】
この例では、理想的な形状を決定するステップは、個人を指導する第三者とのリモート接続を確立することによって、その個人のコンピュータ上で実行される。事前に唇に組成物が塗布されることはなく、理想的な輪郭の探索は、唇の3Dスキャン上でソフトウェアを使用して実行される。ユーザには、いくつかの化粧結果から選択するための選択肢が与えられてもよい。再加工された表面は、この選択肢から生成され、次いでアプリケータが3D印刷を使用して作製される。ユーザは、アプリケータが作製される場所を選択して、そこに出向いて回収してもよい。アプリケータはまた、ユーザの家庭に送られてもよい。
【実施例５】
【０１８４】
この例では、電子アシスタントが、ユーザをユーザのスマートフォン上で指導して理想的な輪郭を形成する。個人は、3Dスキャンの前に自分の唇に組成物を塗布する。アプリケータ10は、マイクロマシーニングによってフィラメント状構造を有するように作製され、図18を見るとわかるように、輪郭のみを化粧するように唇の周辺のみに組成物を塗布するように構成された塗布表面2を有する。
【０１８５】
言うまでもなく、本発明は、ここまでに記載してきた例示的な実施形態に限定されない。
【０１８６】
本発明によって製造された個人向けアプリケータは、唇以外のケラチン物質の領域、たとえば目蓋に化粧組成物を塗布するように構成されてもよい。
【符号の説明】
【０１８７】
1  個人向けアプリケータ
2  塗布表面
2a  周辺部
2b  内側
4  ハンドル
5  中空部分
6  リザーバ
7  パッド
8  ボックス
9  鏡
10  個人向けアプリケータ
10a  中央部
17  アーム
18  上部
19  下部
20  プリフォーム
31  3Dスキャナ
32  3Dプリンタ
33  下部キャビティ
34  上部キャビティ
35  マイクロマシーニングツール
Ct2  変換された数値コピー
E  空間
Im2  表面
【図１】
2021500116.tif 000003
【図２】
2021500116.tif 000004
【図３（ａ）】
2021500116.tif 000005
【図３（ｂ）】
2021500116.tif 000006
【図４（ａ）】
2021500116.tif 000007
【図４（ｂ）】
2021500116.tif 000008
【図５（ａ）】
2021500116.tif 000009
【図５（ｂ）】
2021500116.tif 000010
【図６（ａ）】
2021500116.tif 000011
【図６（ｂ）】
2021500116.tif 000012
【図６（ｃ）】
2021500116.tif 000013
【図７】
2021500116.tif 000014
【図８】
2021500116.tif 000015
【図９（ａ）】
2021500116.tif 000016
【図９（ｂ）】
2021500116.tif 000017
【図１０】
2021500116.tif 000018
【図１１】
2021500116.tif 000019
【図１２】
2021500116.tif 000020
【図１３】
2021500116.tif 000021
【図１４Ａ】
2021500116.tif 000022
【図１４Ｂ】
2021500116.tif 000023
【図１５】
2021500116.tif 000024
【図１６】
2021500116.tif 000025
【図１７】
2021500116.tif 000026
【図１８】
2021500116.tif 000027
【図１９】
2021500116.tif 000028
【図２０Ａ】
2021500116.tif 000029
【図２０Ｂ】
2021500116.tif 000030
【図２０Ｃ】
2021500116.tif 000031
【図２０Ｄ】
2021500116.tif 000032
【図２１（ａ）】
2021500116.tif 000033
【図２１（ｂ）】
2021500116.tif 000034
【図２２】
2021500116.tif 000035
【図２３（ａ）】
2021500116.tif 000036
【図２３（ｂ）】
2021500116.tif 000037
【図２３（ｃ）】
2021500116.tif 000038
【図２３（ｄ）】
2021500116.tif 000039
【図２４（ａ）】
2021500116.tif 000040
【図２４（ｂ）】
2021500116.tif 000041
【図２４（ｃ）】
2021500116.tif 000042
【図２４（ｄ）】
2021500116.tif 000043
【図２５（ａ）】
2021500116.tif 000044
【図２５（ｂ）】
2021500116.tif 000045
【図２５（ｃ）】
2021500116.tif 000046
【図２５（ｄ）】
2021500116.tif 000047
【図２６（ａ）】
2021500116.tif 000048
【図２６（ｂ）】
2021500116.tif 000049
【図２６（ｃ）】
2021500116.tif 000050
【図２６（ｄ）】
2021500116.tif 000051
【図２７（ａ）】
2021500116.tif 000052
【図２７（ｂ）】
2021500116.tif 000053
【図２７（ｃ）】
2021500116.tif 000054
【図２７（ｄ）】
2021500116.tif 000055
【図２８】
2021500116.tif 000056
【国際調査報告】
2021500116.tif 000057
2021500116.tif 000058
2021500116.tif 000059